(57)【要約】【課題】重量体１２がコネクター２に当接した時の衝撃力が撓み量が大きい弾性片２Ｂで吸収できるとともに、重量体１２の慣性力が確実にチャック１に伝達できる振出式シャープペンシルを提供する。【解決手段】軸筒７を振ることにより生じる重量体１２の慣性力によりチャック１を前進させて芯１０を繰り出す振出式シャープペンシルにおいて、チャック１に連結される合成樹脂製のコネクター２に基部２Ａより円周方向に伸びた弾性片２Ｂを形成する。更に、弾性片２Ｂの先端部に長手方向後方に突出した突部２Ｃを形成する。このコネクター２に芯タンク３を取り付け、芯タンク３の外側に遊嵌された重量体１２が前記コネクター２の突部２Ｃに当接可能に構成し、重量体１２の慣性力をコネクター２の弾性片２Ｂによって衝撃を吸収しながらチャック１に伝達する。【選択図】          図１
2004249624.tif 000002
【特許請求の範囲】
【請求項１】
軸筒を振ることにより生じる重量体の慣性力によりチャックを前進させて芯を繰り出す振出式シャープペンシルにおいて、チャックに連結される合成樹脂製のコネクターに基部より円周方向に伸びた弾性片を形成するとともに、弾性片の先端部に長手方向後方に突出した突部を形成し、前記コネクターに芯タンクを取り付け、この芯タンクの外側に遊嵌された重量体が前記コネクターの突部に当接可能に構成し、重量体の慣性力をコネクターの弾性片によって衝撃を吸収しながらチャックに伝達することを特徴とする振出式シャープペンシル。
【請求項２】
コネクターの略中間部に両側に突出するとともに上下をカットして基部を形成し、この基部より円周方向に略４５度伸ばして弾性片を２個形成し、それぞれの弾性片の先端部に長手方向後方に突出した突部を形成したことを特徴とする請求項１記載の振出式シャープペンシル。
【発明の詳細な説明】
【０００１】
【発明の属する技術分野】
本発明は、重量体の慣性力によりチャックを前進させて芯を繰り出す振出式シャープペンシルに関するものである。
【０００２】
【従来の技術】
従来の振出式シャープペンシルは、重量体の衝撃が直接チャックに伝達されると、チャックが強い力で口金の段部に当接され、チャックを破損してしまうので、重量体の衝撃を吸収するために、芯タンクにゴムを外嵌しこのゴムに重量体を当接していた。（特許文献１参照）
あるいは、芯タンクに可撓性突出部を形成し、この可撓性突出部に重量体を当接していた。（特許文献２参照）
【０００３】
【特許文献１】
実開昭５４−１３０５３５号公報
【特許文献２】
実開平２−５８９８３号公報
【０００４】
【発明が解決しようとする課題】
しかし、上記した従来の振出式シャープペンシルは、芯タンクにゴムを外嵌するものは部品点数が多くなるとともに組立工数も多くなりコスト高になってしまうものであり、また、芯タンクに可撓性突出部を形成したものは撓み量が少なく重量体の衝撃力を満足には吸収できなかった。
【０００５】
本発明は、上記課題を解消する振出式シャープペンシルを提供することを目的とするものである。
【０００６】
【課題を解決するための手段】
本発明は、軸筒を振ることにより生じる重量体の慣性力によりチャックを前進させて芯を繰り出す振出式シャープペンシルにおいて、チャックに連結される合成樹脂製のコネクターに基部より円周方向に伸びた弾性片を形成するとともに、弾性片の先端部に長手方向後方に突出した突部を形成し、前記コネクターに芯タンクを取り付け、この芯タンクの外側に遊嵌された重量体が前記コネクターの突部に当接可能に構成し、重量体の慣性力をコネクターの弾性片によって衝撃を吸収しながらチャックに伝達させるものである。
【０００７】
【実施例】
以下、図１に基づいて本発明の振出式シャープペンシルを説明する。尚、図１の左側を前方とし右側を後方とする。先ず、黄銅等からなる金属製のチャック１の後部にポリアセタール製のコネクター２を圧入固着する。このコネクター２は図２及び図３に示したように、略中間部に両側に突出するとともに上下をカットして基部２Ａを形成する。この基部２Ａより円周方向に略４５度伸ばして弾性片２Ｂを２個形成し、それぞれの弾性片２Ｂの先端部に長手方向後方に突出した突部２Ｃを形成する。更に、コネクター２の後部に前方面が垂直で後方面が傾斜した外鍔２Ｄを２個形成する。このコネクター２の後部をポリプロピレン製のパイプ材からなる芯タンク３の前部に圧入固着する。ポリアセタール製のコネクター２の方がポリプロピレン製の芯タンク３より硬いのでコネクター２が芯タンク３に強固に連結できる。更に、チャック１の頭部１Ａには締リング４が外嵌され、締リング４を受け止める連結具５とコネクター２の間にスプリング６が張架される。
【０００８】
軸筒７の前部孔７Ａを前記芯タンク３及びコネクター２が挿通可能に構成する。更に、軸筒７の前部細径部７Ｂに滑り止め用のゴムグリップ８を外嵌する。この軸筒７の前方より芯タンク３を挿入し、軸筒７の前端と軸筒７の前端に螺合された口金９の内段９Ａにより連結具５を挟持する。また、口金９の後端と軸筒７の外段７Ｃによりゴムグリップ８を挟持する。口金９には芯１０を適度の力で保持するゴム等の弾性体で構成された芯ホルダー１１が内蔵される。
【０００９】
重量体１２は金属製の筒体で構成され、この重量体１２を軸筒７の後端より開口されかつ前記前部孔７Ａより太径に構成された内孔７Ｄに摺動可能に内蔵する。この重量体１２の貫通孔１２Ａに前記芯タンク３が挿通される。
【００１０】
以上説明した振出式シャープペンシルは、軸筒７を振ることにより重量体１２に慣性力が働き、重量体１２がコネクター２の弾性片２Ｂに形成された突部２Ｃに当接する。するとコネクター２は重量体１２が当接した時の衝撃力を弾性片２Ｂが撓むことによって吸収しながら前進する。しかも、コネクター２の弾性片２Ｂは基部２Ａから円周方向に伸びて形成されるので弾性片２Ｂを長く形成することができ、撓み量が大きく取れるので重量体１２の衝撃力を十分に吸収することができる。従って、コネクター２とともにチャック１及び芯タンク３も前進し一定量芯１０が繰り出される。この時、チャック１は口金９の段部９Ｂに当接することにより前進が停止されるが、重量体１２の衝撃力はコネクター２の弾性片２Ｂによって吸収されるので、チャック１が強い力で口金９の段部９Ｂに衝突する恐れはない。また、重量体１２がコネクター２に当接した時の衝撃でコネクター２が芯タンク３から外れる心配もなくなるものである。
【００１１】
尚、重量体１２は金属製の筒体に限定されるものではなく、金属線をコイル状に巻回し、その前部にスプリング部を形成したものでも良い。
【００１２】
【発明の効果】
以上説明した本発明の振出式シャープペンシルは、コネクターに基部より円周方向に十分に伸びた弾性片を形成し、この弾性片に形成した突部が重量体に当接するので、重量体がコネクターに当接した時の衝撃力が撓み量が大きい弾性片で吸収できるとともに、重量体の慣性力は確実にチャックに伝達できる効果が奏せられるものである。
【図面の簡単な説明】
【図１】本発明の振出式シャープペンシルを示す断面図である。
【図２】本発明のコネクターを示す拡大正面図である。
【図３】図２のＡ−Ａ線を示す拡大断面図である。
【符号の説明】
１  チャック
２  コネクター
２Ａ  コネクター２の基部
２Ｂ  コネクター２の弾性片
２Ｃ  コネクター２の突部
３  芯タンク
７  軸筒
１０  芯
１２  重量体
【図１】
2004249624.tif 000003
【図２】
2004249624.tif 000004
【図３】
2004249624.tif 000005